(57)【要約】【課題】視聴者が視聴を希望する国のチャンネルが含まれるチャンネルリストを簡単に設定できるデジタル放送受信機を提供する。【解決手段】ＲＦ（Radio Frequency）信号から特定の周波数帯域の信号を取り出すチューナと、このチューナの出力信号が入力される復調部と、この復調部の出力信号を映像データと音声データと制御データとに分離する信号分離部と、チャンネルリストが記録される記憶部と、チャンネルの操作が行われる入力部と、この入力部からの制御信号に基づいてチャンネルの制御を行う制御部とを備えたデジタル放送受信機において、入力部で視聴する国が選択され、制御部が制御データに含まれる国情報を読み出し、この国情報に基づいて、入力部で選択された国に対応する国情報が含まれるチャンネルが、記憶部のチャンネルリストに記録される。【選択図】図３
2008294870.tif 000002
【特許請求の範囲】
【請求項１】
ＲＦ（Radio Frequency）信号から特定の周波数帯域の信号を取り出すチューナと、前記チューナの出力信号が入力される復調部と、前記復調部の出力信号を映像データと音声データと制御データとに分離する信号分離部と、チャンネルリストが記録される記憶部と、チャンネルの操作が行われる入力部と、前記入力部からの制御信号に基づいてチャンネルの制御を行う制御部とを備えたデジタル放送受信機において、
前記入力部で視聴する国が選択され、
前記制御部が前記制御データに含まれる国情報を読み出し、
前記国情報に基づいて、前記入力部で選択された国に対応するチャンネルが、前記記憶部の前記チャンネルリストに記録されることを特徴とするデジタル放送受信機。
【請求項２】
請求項１に記載のデジタル放送受信機において、
前記チャンネルリストが、チャンネル設定時にＯＳＤ（On Screen Display）により表示されることを特徴とするデジタル放送受信機。
【請求項３】
請求項１または２に記載のデジタル放送受信機において、
前記制御部が前記国情報を定期的または不定期に読み出し、前記選択された国に基づいて前記チャンネルリストが自動的に更新されることを特徴とするデジタル放送受信機。
【請求項４】
請求項１ないし３のいずれかに記載のデジタル放送受信機において、
前記国情報が、トランスポートストリームのＳＤＴ(Service Description Table)のカントリー・アベイラビリティ・ディスクリプタに含まれていること特徴とするデジタル放送受信機。
【発明の詳細な説明】
【技術分野】
【０００１】
本発明は、デジタル放送受信機に関し、より詳細には、国情報に基づいてチャンネルリストを作成するデジタル放送受信機に関する。
【背景技術】
【０００２】
デジタルテレビ放送では、論理チャンネル番号（ＬＣＮ：Logical Channel Number、以下、単に「論理チャンネル」と記載する）が決められている。論理チャンネルは、物理チャンネル（Physical Channel）とは異なる概念で、デジタルテレビ放送では、１つの物理チャンネルに複数の論理チャンネルが含まれる。すなわち、特定の周波数帯域を取り出したものが物理チャンネルであり、この特定の周波数帯域の中に、例えば、パケット通信によって複数の回線が含まれており、パケットを分離し回線ごとに取り出したものが、論理チャンネルである。なお、北米では、論理チャンネルのことを仮想チャンネル（Virtual Channel）という。
【０００３】
したがって、デジタルテレビ放送では視聴者が番組を選ぶ際に、論理チャンネルを選択することになる。同様に、チャンネルリストの作成は論理チャンネルの順番に行われ、視聴者がオートサーチでチャンネルリストを作成すると、周波数を変更して物理チャンネルを変更しつつ、最終的には論理チャンネルが検索され、その視聴地域で放送されている全ての論理チャンネルが含まれるチャンネルリストが作成される。
【０００４】
一方、例えば、ヨーロッパ諸国など隣国と接している国では、国境付近で放送を受信すると、隣国の放送局から放送されている番組も多く受信される。
視聴できる国が多い場合は、オートサーチでチャンネルリストを作成しても、多くの国からの番組、つまりチャンネルがチャンネルリストに混在する。
このような場合、視聴者が、例えばリモコンのチャンネルＵＰキーやチャンネルＤＯＷＮキーを使用してチャンネルを変更しても、希望しない国向けの放送（チャンネル）が多く含まれており、これらのチャンネルを越えて所望のチャンネルに合わせなければならず、チャンネルの操作性が悪くなっていた。
【０００５】
特許文献１には、受信可能な放送局をプリセットできるチューナを備えた受信装置に、各国の放送局名と放送局に対応した番号との対応関係を示すテーブルを予め格納したメモリが保持されており、このメモリ内の情報に基づいてチャンネルを設定することによって、受信した信号に含まれる番組情報等の付帯データに関係なく、チャンネル設定をすることができる受信装置が提案されている。
【０００６】
また、特許文献２には、同じ国の異なる地域や、異なる国からの複数の放送を受信し、チャンネル番号を、国内の論理チャンネルに基づくチャンネル番号、論理チャンネルのない国内サービス、外国１、他の外国である外国２の順に大きくしたデジタルテレビが提案されている。
【０００７】
【特許文献１】特開平９−１３０６８９号公報
【特許文献２】特表２００７−５０２０４８号公報
【発明の開示】
【発明が解決しようとする課題】
【０００８】
しかしながら、特許文献１に記載の受信装置では、予めメモリに各国の放送局名と放送局に対応した番号との対応関係を示すテーブルが記憶されていなければならない。したがって、視聴者が受信している地域で実際に放送されているチャンネルとテーブルに記録されたチャンネルとが一致しない場合や、国によってはテーブルを参照してもチャンネルが全くない場合も考えられる。
また、メモリに記憶されたテーブルを参照しながら、国ごとに設定しようとしても、放送局がどの国向けの放送をしているかを放送局別に調べ、放送局を選択することによって、国別に合わせなければならず、操作が煩雑である。
【０００９】
特許文献２に記載のデジタルテレビでは、チャンネルリストに外国の放送が含まれており、チャンネルＵＰキーやチャンネルＤＯＷＮキーでチャンネルを変更する場合は、操作が煩雑である。特に、国境付近で国内向けの放送を受信すると、隣国から放送されている多くのチャンネルが含まれることになる。
また、逆に、視聴者が外国の放送を視聴する場合も、その希望する外国以外の国の放送が含まれるチャンネルリストが作成されることになり、チャンネル操作の操作が煩雑である。
【００１０】
本発明は、このような事情に鑑み、視聴者が視聴を希望する国のチャンネルが含まれるチャンネルリストを簡単に設定できるデジタル放送受信機を提供することを目的とする。
【課題を解決するための手段】
【００１１】
上記目的を達成すべく本発明は次の技術的手段を講じた。
本発明では、ＲＦ(Radio Frequency)信号から特定の周波数帯域の信号を取り出すチューナと、このチューナの出力信号が入力される復調部と、この復調部の出力信号を映像データと音声データと制御データとに分離する信号分離部と、チャンネルリストが記録される記憶部と、チャンネル操作が行われる入力部と、この入力部からの制御信号に基づいてチャンネルの制御を行う制御部とを備えたデジタル放送受信機において、入力部で視聴する国が選択され、制御部が制御データに含まれる国情報を読み出し、この国情報に基づいて、入力部で選択された国に対応するチャンネルが、記憶部のチャンネルリストに記録される。
【００１２】
このようにすると、視聴者によって選択された国のみが含まれるチャンネルリストが、放送局から送られる国情報に基づいて作成されるので、複数の国向けのチャンネルを受信しても、視聴者が希望する国を入力部で選択することによって、その希望する国向けの放送のみが含まれるチャンネルリストを作成できる。このため、国別のチャンネルリスト作成の操作が簡単になり、視聴者が例えばリモコンのＵＰキーやＤＯＷＮキーでチャンネルを変更する場合に、他の国向けのチャンネルを越えてチャンネルを変更する必要がなくなり、チャンネルの操作性が向上する。
なお、国情報とは、放送局等から送られる信号に含まれているものであり、コンテンツ（サービス）がフランス、スイス等、いずれの国向けであるか識別できる情報をいう。
【００１３】
本発明では、チャンネルリストが、チャンネル設定時にＯＳＤ（On Screen Display）により表示される。
このようにすると、チャンネルリストがＯＳＤによってディスプレイに表示されるので、視聴者は、その地域において受信できる放送を、ディスプレイに表示された画面で、国ごとに確認しながらチャンネルリストの変更を行え、チャンネルリストを変更する際の利便性が向上する。
【００１４】
本発明では、制御部が国情報を定期的または不定期に読み出して、選択された国に基づいてチャンネルリストが自動的に更新される。
同じチャンネルであっても、時間帯によって、どの国向けの放送であるかが異なることがある。したがって、自動的に国情報が読み出されると、視聴者によって選択された国に応じたチャンネルリストが常時作成され、視聴者が何度も国を選択する必要がなく、チャンネルの操作性が向上する。
【００１５】
本発明では、前記国情報が、トランスポートストリームのＳＤＴ(Service Description Table)のカントリー・アベイラビリティ・ディスクリプタに含まれている。カントリー・アベイラビリティ・ディスクリプタ（country availability descriptor）はＥＴＳＩによって定められている規格であるので、ヨーロッパのデジタルテレビ放送の規格であるＥＴＳＩ  ＥＮ３００  ４６８を利用できる。前述のように、視聴者が国を選択し、この選択された国のみが含まれるチャンネルリストが作成できると、特に隣国と国境を接し、隣国の放送が受信されることが多いヨーロッパ諸国で有効である。
【発明の効果】
【００１６】
本発明によれば、視聴者が視聴を希望する国のチャンネルが含まれるチャンネルリストを簡単に設定できるデジタル放送受信機を得ることができる。
【発明を実施するための最良の形態】
【００１７】
以下、本発明の実施形態を図面を参照しながら説明する。
図１は、本発明の実施形態に係るデジタル放送受信機１のブロック図である。
このデジタル放送受信機１では、例えば、アンテナ、ケーブル等のＲＦ（Radio Frequency：無線周波数）出力部１０１からチューナ２にＲＦ信号が入力される。  チューナ２では、ＲＦ信号から特定の帯域の周波数を分離し、ＩＦ（Intermediate Frequency：中間周波数）信号に変換した後、ＩＦ信号を復調部３に入力する。
【００１８】
チューナ２では、制御部４からのチューナ制御信号に基づいて、物理チャンネルの選択が行われる。つまり、チューナ２では、ＲＦ信号から特定の周波数帯域の信号を取り出す。このチューナ２で選択される物理チャンネルは、前述のように論理チャンネルとは異なる概念であり、特定の周波数帯域を取り出したものであって、デジタル放送では、１つの物理チャンネルに複数の論理チャンネル(番組)
が含まれる。なお、特定の周波数帯域とは各放送局から発信される周波数帯域をいう。
【００１９】
そして、復調部３に入力されたＩＦ信号は、復調部３で復調され、トランスポートストリーム（ＴＳ：transport stream）に変換される。この復調部３には、誤り訂正回路、デスクランブラ等も内蔵されている。
【００２０】
信号分離部５は、デマルチプレクサからなっており、入力されたトランスポートストリームを映像データと、音声データと、制御データとに分離する。
制御データには、後述するＰＳＩ／ＳＩが含まれており、この制御データを制御部４が解析し、分離された映像データと音声データとを再構成することによって、複数の番組になる。つまり、ＰＳＩ／ＳＩに含まれる情報によって、１つの物理チャンネルから、複数の論理チャンネルが取り出される。
【００２１】
信号分離部５から出力された映像データと音声データとは、復号部６に入力される。この復号部６は、ＭＰＥＧ（Moving Pictures Expert Group）デコーダからなっており、符号化（圧縮）されている映像データ、音声データを復号化（解凍）する。
ＲＡＭ（Random Access Memory）７ａ、７ｂは、信号分離部５で分離されたデータや復号部６でデコードされたデータを一時的に格納し、音声データと映像データとを同期させる。
【００２２】
復号部６で復号化された音声データは、ＤＡＣ（Digital Analog Converter）８で、デジタル信号からアナログ信号に変換され、スピーカ１０２から出力される。
ＯＳＤ（On Screen Display）処理部１０は、制御部４からの入力信号に基づいて、チャンネルリスト等の各種設定画面や、ＥＰＧ(Electronic Program Guide：電子番組表)等を作成し、映像合成部１１に入力する。
【００２３】
映像合成部１１では、ＯＳＤ処理部１０から入力されたＥＰＧ等の映像データと、人物、景色等の実際の番組における映像データとを合成する。この合成された映像データは、スケーラ１０３に入力されることによって、画像が拡大または縮小され、ＬＣＤ（Liquid Crystal Display：液晶ディスプレイ）１０４の画面サイズに調整された後、ＬＣＤ１０４で表示される。
【００２４】
入力部１２は、リモコン１０５から赤外線信号を受信し、チャンネル変更、チャンネルリスト作成、国選択等のチャンネル操作の制御信号を制御部４に入力する。なお、ここでは、リモコン１０５を介して、チャンネルリスト作成等のチャンネル操作が行われているが、このデジタル放送受信機１の本体に直接入力可能な入力部が設けられ、デジタル放送受信機１で、直接操作されていてもよい。
制御部４は、ＣＰＵ（Central Processing Unit）からなり、チャンネル制御を含めたデジタル放送受信機１の制御を統合的に行う。
また、制御部４に接続されている記憶部１３は、フラッシュメモリ等の不揮発性メモリからなり、この記憶部１３には、チャンネルリスト、ＥＰＧ情報等の様々な情報が記録される。
【００２５】
図２は、トランスポートストリームの構造を示す図である。前述のように、デジタル放送では、デジタル放送受信機１で受信された信号は、所定の処理を経て、復調部３でトランスポートストリーム（ＴＳ）に変換される。このトランスポートストリームは、図２（ａ）（ｂ）に示すように複数のトランスポートパケット（以下、「ＴＳパケット」と記載する）からなる。ＴＳパケットは、制御データが含まれるパケットと、映像データが含まれるパケットと、音声データが含まれるパケットからなり、各ＴＳパケットは１８８バイトの固定長である。
【００２６】
図２（ｃ）に示すように、このＴＳパケットは、ヘッダとペイロードからなる。
ヘッダ内には、パケット識別子（ＰＩＤ：Packet IDentifier）や、ＴＳパケットの同期（ＳＹＮＣ）に関する情報等が含まれており、ＴＳパケットはＰＩＤによって識別される。ペイロードには、例えば、制御データであるＰＳＩ／ＳＩ、映像データ、音声データが含まれる。
【００２７】
ＰＳＩ(Program Specific Information)は、ISO／IEC(International Organization for Standardization：国際標準化機構／International Electrotechnical Commission：国際電気標準化会議)で、詳細が規定されており、ＰＳＩには、トランスポートストリームの分離や番組の再生に必要かつ標準的なデータが含まれている。ＰＳＩには、ＴＳパケットのＰＩＤに関する情報が記載されたテーブルであるＰＡＴ（Program Association Table）や受信条件に関する情報が記載されたテーブルであるＣＡＴ（Conditional Access Table）等がある。
【００２８】
ＳＩ（Service Information）は、ＥＴＳＩ(European Telecommunications Standards Institute：欧州電気通信標準化機構)によって、ＰＳＩに追加して規定されているものであり、このＳＩには、ヨーロッパのデジタルテレビ放送の規格であるＤＶＢ（Digital Video Broadcasting）での様々なサービス等の情報が含まれる。なお、ＳＩには、ＰＳＩが含まれる。
ＳＩには、例えば、ＳＤＴ(Service Description Table)、ＥＩＴ（Event Information Table）、ＢＡＴ(Bouquet Association Table)等の各種テーブルが含まれる。
【００２９】
ＳＤＴには、サービスの名前、サービスプロバイダ等のサービスに関するデータ等が含まれている。また、ＥＩＴには、イベントや番組に関する時系列的な情報、イベント名、開始時間、番組の長さ等の番組に関するデータ等が含まれていおり、ＢＡＴには、地上波、ケーブルテレビ等のネットワークを横断的に行われているサービスに関するデータが含まれる。ＢＡＴは、例えば、同じ放送局が地上波とケーブルテレビとで異なるサービスを提供しているような場合におけるサービスのリスト等、サービスの集合に関する情報である。
イベント(event)とは、ニュースフラッシュ、サッカーの前半、エンターテイメントショーの第一部等をいい、番組（program）とは、ニュース、エンターテイメントショー等の１以上のイベントからなるものをいい、サービス(service)とは、ある放送局から放送される連続した番組のことをいう。
【００３０】
図２（ｅ）に示すように、このＳＤＴに様々な記述子（descriptor）が含まれている。そして、この記述子には、サービスが利用できる国に関する情報、すなわち、どの国向けのサービスであるかを示すカントリー・アベイラビリティ・ディスクリプタ(country availability descriptor)が含まれる。この記述子が、放送局からの信号に含まれていると、サービスがどの国向けであるかを視聴者側で判別することができる。
他の記述子には、例えば、サービスプロバイダ名とデジタルテレビ、デジタルラジオ等のサービスタイプとを示すサービスディスクリプタ（service descriptor）、イベントが、ニュース、コメディ、ドキュメンタリー等のいずれかであるかを示すコンテンツディスクリプタ（content descriptor）、ストリームにおける映像の画面サイズや音声、字幕の言語等を示すコンポーネントディスクリプタ（component descriptor）等がある。それぞれの記述子が、ＳＤＴ、ＥＩＴ等のいずれのテーブルに記載されるべきかがＥＴＳＩによって定められている。
【００３１】
本実施形態では、ＳＤＴに含まれる国情報であるカントリー・アベイラビリティ・ディスクリプタを利用して、チャンネルリストを作成する。なお、この記述子は、ＢＡＴに含まれている場合もある。
カントリー・アベイラビリティ・ディスクリプタには、サービスが利用できる国のリストが含まれている。したがって、放送局側からサービスがどの国向けでの放送であるかを示すリストが送られており、視聴者側から見るとサービスがどの国向けであるかを判別することができる。
【００３２】
図３は、本実施形態のチャンネルリスト設定のフローチャートである。
チャンネル設定は、チャンネル検索のステップと、国選択のステップとからなり、ステップＳ１〜ステップＳ８は、チャンネル検索のステップであり、ステップＳ９〜ステップＳ１０は、国選択のステップである。
視聴者がリモコン１０５のオートサーチボタンを押すと、ＬＣＤ１０４にＯＳＤのチャンネル設定画面が表示されて、チャンネル設定が開始する（ステップＳ１）。最初に、デジタル放送が放送されている周波数、すなわちデジタル放送が受信可能な帯域をサーチする（ステップＳ２）。したがって、ステップＳ２ではチューナ２で受信する周波数を変更することにより、物理チャンネルを検索する。
【００３３】
放送されている帯域が発見されると、その発見された帯域で論理チャンネルを検索する（ステップＳ３）。論理チャネルが見つかると、制御部４（図１）で、ＳＤＴに含まれるカントリー・アベイラビリティ・ディスクリプタを読み出して、そのサービス（論理チャンネル）がどの国向けであるかの国情報を取得し（ステップ４）、その記述子に記載された国と論理チャネルを記憶部１３のチャンネルリストに追加する（ステップＳ５）。
【００３４】
その後、帯域内での論理チャンネルの検索が終了したどうかを確認し（ステップＳ６）、終了していない場合は（ステップＳ６でＮＯ）、ステップＳ３に戻りさらに論理チャンネルを検索し、終了している場合は（ステップＳ６でＹＥＳ）、全ての帯域についての検索が終了したかどうかを確認する（ステップＳ７）。終了していなければ、ステップＳ２に戻り（ステップＳ７でＮＯ）、同様に次の帯域をサーチする。
【００３５】
全ての帯域の検索が終了していれば（ステップＳ７でＹＥＳ）、受信できる全ての論理チャンネルがチャンネルリストに記録されていることを意味するので、オートサーチによるチャンネルの検索を終了する（ステップＳ８）。
【００３６】
図４は、本実施形態に係るチャンネルリストを示す図である。図４（ａ）は、オートサーチ終了後の状態（ステップＳ８終了後の状態）のチャンネルリストを示す図であり、図４（ｂ）はフランスを選択した状態の図であり、図４（ｃ）は、スイスを選択した状態の図である。図４に示す各状態は、ＯＳＤによって表示される。
【００３７】
図４（ａ）に示すように、オートサーチが終了した状態、すなわちステップＳ８が終了した状態では、隣接する国の放送局の放送を受信しており、受信できるサービス（論理チャンネル）は多くなっている。
１チャンネル、２チャンネル等はフランス向けのサービス、３チャンネル、１２チャンネル等は、スイス向けのサービス、４チャンネル、６チャンネル等は、ドイツ向けのサービスである。なお、図４に記載のフランスは、フランス国向けの放送であることを意味し、必ずしもフランス語の放送を意味するものではない。
【００３８】
この中から希望する国を選択する（図３でステップＳ９）。この国の選択は、リモコン１０５によって行うことができる。
例えば、フランスを選択すると、図４（ｂ）に示すように１チャンネル、２チャンネル等のフランス向けの放送（サービス）のみが選択されて、チャンネルリストの表示が切り換わる。
同様に、スイスを選択すると、図４（ｃ）に示すように、３チャンネル、１２チャンネル等のスイス向けの放送（サービス）のみが選択されて、チャンネルリストの表示が切り換わる。なお、この場合、２以上の国を選択することもできる。
【００３９】
最後にリモコン１０５のチャンネル設定終了ボタンを押すと、記憶部１３に記録されているチャンネルリストが、選択した国のチャンネルリストに書き換えられる（ステップＳ１０）。例えば、フランスを選択して、チャンネル設定終了ボタンを押すと、記憶部１３内のチャンネルリストが図４（ｂ）に示すようなフランスのみに書き換えられる。その後、ＯＳＤの表示が消えて、チャンネルリストの作成が終了する（ステップＳ１１）。
【００４０】
さらに一旦、国／国のグループを選択すると、自動的にトランスポートストリーム内のカントリー・アベイラビリティ・ディスクリプタを検索し、チャンネルリストが書き換えられるようになっている。更新の時期は、定期的、不定期に関わらない。また、自動更新の際は、原則として、チャンネルリストはＯＳＤに表示されない。
【００４１】
以上のように、国ごとのチャンネル設定が容易になるとともに、テレビの視聴時にチャンネルＵＰキーやチャンネルＤＯＷＮキーを押しても、他国向けの放送（サービス）がＬＣＤ１０４に表示されず、リモコン１０５のチャンネルＵＰキーやチャンネルＤＯＷＮキーを何度も押す必要がない。なお、リモコン１０５のボタンに表示される番号と論理チャンネル番号とは適宜調整できる。
【００４２】
本発明では、以上述べた以外にも種々の実施形態を採用することができる。例えば、上記実施形態では、チャンネルリストと選択可能国とがＯＳＤで表示されているが、ＯＳＤ以外による表示であってもよく、また、チャンネルリストや選択可能国がＯＳＤで表示されないで、リモコン１０５等の入力装置に予め設けられているフランス、スイス等の国選択ボタンによって、希望する国を選択できるようにしてもよい。
【００４３】
さらに、チャンネルサーチのタイミングに関しては、上述のようにリモコン１０５のオートサーチボタンを押すことによって行なわれてもよいが、日時によって、放送されていたり、放送されていなかったりすることがあるサービス（論理チャンネル）に対応するため、先に国指定を行っておき、自動的にその国情報に応じたチャンネルがサーチされていてもよく、初回電源オン時であってもよい。
【００４４】
また、このデジタル受信機１を利用していれば、外部機器の構成は、図１に示したようなＬＣＤ１０４を利用した液晶テレビだけでなく、プラズマテレビ等の他のデジタルテレビであってもよい。その他、アナログ受信機能を兼ね備えたアナログ／デジタルテレビであってもよく、ディスプレイ装置等を含まないセットトップボックスであってもよい。
【図面の簡単な説明】
【００４５】
【図１】本発明の実施形態に係るデジタル放送受信機のブロック図である。
【図２】トランスポートストリームの構造を示す図である。
【図３】本発明の実施形態に係るチャンネルリスト設定のフローチャートである。
【図４】本発明の実施形態に係るチャンネルリストを示す図である。
【符号の説明】
【００４６】
１  デジタル放送受信機
２  チューナ
３  復調部
４  制御部
５  信号分離部
１２  入力部
１３  記憶部
【図１】
2008294870.tif 000003
【図２】
2008294870.tif 000004
【図３】
2008294870.tif 000005
【図４】
2008294870.tif 000006